(57)【特許請求の範囲】
【請求項１】
アルミニウム合金の押出形材からなり、押出方向と直交する断面において水平板と該水平板の下方に一体に設けた冷媒用のパイプ部とを含む複数の単位床材を、押出方向および該押出方向と直交する方向の２方向に沿ってそれぞれ連設したアイスリンク用床構造体であって、
上記押出方向に沿って隣接する一対の単位床材の端部には、パイプ部を除く上記水平板の一部を除去した除去部が隣接して形成され、該一対の除去部内に延びた一対の隣接するパイプ部の端部同士を、該端部の外側を軸方向に沿って互いにネジ結合する雄ネジスリーブと雌ネジスリーブとにより接続してなり、
上記一対の隣接するパイプ部同士の端部には、互いに対称なフレア部を形成すると共に、該一対のフレア部が隣接する内側面に、断面が三角形状の金属シールリングを挿入してなると共に、
上記雌ネジスリーブと該雌ネジスリーブを貫通する一方の上記パイプ部の端部におけるフレア部との間には、該フレア部の外斜面に接する円錐形状の内斜面を有するリングスペーサーが挟持されている、
ことを特徴とするアイスリンク用床構造体。
【請求項２】
前記一方のパイプ部の前記フレア部の外斜面には、前記リングスペーサーの内斜面に食い込み可能な凸部が形成されている、
ことを特徴とする請求項１に記載のアイスリンク用床構造体。
【請求項３】
前記金属シールリングの外周側における左右一対の斜面の間には、前記一対のパイプ部の軸方向と平行な平坦面が形成されている、
ことを特徴とする請求項１または２に記載のアイスリンク用床構造体。
【請求項４】
前記単位床材は、水平板の下方に吊り部を介してパイプ部を設けており、且つ前記除去部には、前記一部の水平板に隣接する上記吊り部が含まれていると共に、
前記雌ネジスリーブにおける上端部は、前記押出方向に沿って隣接する一対の単位床材の水平板ごとの表面と面一になるか、あるいは、該水平板の表面よりも低い位置にある、
ことを特徴とする請求項１乃至３の何れか一項に記載のアイスリンク用床構造体。
【請求項５】
前記押出方向に沿って隣接する一対の単位床材における水平板の端部間に形成された一対の除去部は、蓋により閉塞されるか、あるいはテープにより上方から被覆される、
ことを特徴とする請求項４に記載のアイスリンク用床構造体。
【発明の詳細な説明】
【技術分野】
【０００１】
本発明は、カーリング、フィギアスケート、スピードスケート、アイスホッケー、あるいはアイスショーなどの氷上で行われる各種スポーツや競技などに活用される氷結床を作製するため、水を散水して氷結するための床構造体に関する。
【背景技術】
【０００２】
例えば、アイススケートリンクを作製するため、プラスチックシートの表面に多数のプラスチックパイプを、起立条を介して一定間隔ごとに保って上記シートよりも高い位置に一体に並設したアイススケートリンク用シートパネルが提案されている（例えば、特許文献１参照）。
また、プラスチック製の柔軟なパイプを幅方向に沿って密接して配設することで、短時間でアイススケートリンクの床面を氷結するため、ベースフィルムの上方に起立条を介して樹脂製の細かい多数の第１柔軟パイプを一体に並設し、係る第１柔軟パイプ同士の間に樹脂からなる同径の第２柔軟パイプを配列し、第１および第２柔軟パイプをフック枠で相互に連結固定したアイススケートリンク床面の冷却構造も提案されている（例えば、特許文献２参照）。
【０００３】
前記特許文献１，２に記載されたアイススケートリンク用シートパネルや冷却構造のように、樹脂製のパイプ同士を軸方向に沿って接続するには、多くの接着箇所や湿式によるシール箇所があるため、多くの工数と施工に長い期間を要すると共に、経時的な接着部分の劣化により冷媒が漏洩するおそれがあった。
そのため、カーリングや各種のスケート、アイスホッケー、更にはアイスショーのように、比較的長大であるか広いスペースのアイスリンクを短期間で施工できず、散水した水を短時間で氷結させられないと共に、冷媒が漏洩し易いなどの問題があった。更に、アイスショーのように、当該ショーの開催期間の前後において、短時間で正確に施工したり、解体することも困難であった。
【先行技術文献】
【特許文献】
【０００４】
【特許文献１】実公昭５７−５２５９８号公報（第１〜２頁、第１図 〜第３図）
【特許文献２】特開平６−２６５２４８号公報（第１〜６頁、図１〜図４）
【発明の概要】
【発明が解決しようとする課題】
【０００５】
本発明は、背景技術で説明した問題点を解決し、比較的少ない工数と短い施工時間とによって安定した氷結状態を維持できるアイスリンクを構成するためのアイスリンク用床構造体を提供する、ことを課題とする。
【課題を解決するための手段および発明の効果】
【０００６】
本発明は、前記課題を解決するため、前記床構造体を複数のアルミニウム合金の押出形材を押出方向および該押出方向と直交する方向に沿って連設する単位床材とすると共に、押出方向に沿って隣接する単位形材のパイプ同士を機械的に接続する、ことに着想して成されたものである。
即ち、本発明によるアイスリンク用床構造体（請求項１）は、アルミニウム合金の押出形材からなり、押出方向と直交する断面において水平板と該水平板の下方に一体に設けた冷媒用のパイプ部とを含む複数の単位床材を、押出方向および該押出方向と直交する方向の２方向に沿ってそれぞれ連設したアイスリンク用床構造体であって、上記押出方向に沿って隣接する一対の単位床材の端部には、パイプ部を除く上記水平板の一部を除去した除去部が隣接して形成され、該一対の除去部内に延びた一対の隣接するパイプ部の端部同士を、該端部の外側を軸方向に沿って互いにネジ結合する雄ネジスリーブと雌ネジスリーブとにより接続してなり、上記一対の隣接するパイプ部同士の端部には、互いに対称なフレア部を形成すると共に、該一対のフレア部が隣接する内側面に、断面が三角形状の金属シールリングを挿入してなると共に、上記雌ネジスリーブと該雌ネジスリーブを貫通する一方の上記パイプ部の端部におけるフレア部との間には、該フレア部の外斜面に接する円錐形状の内斜面を有するリングスペーサーが挟持されている、ことを特徴とする。
【０００７】
これによれば、断面において水平板と該水平板の下方に設けた冷媒用のパイプ部とを含む複数の単位床材を、押出方向および該押出方向と直交する２方向に沿ってそれぞれ連設すると共に、押出方向に沿って隣接する一対の単位床材の端部に隣接して形成した除去部内では、各床材のパイプ部ごとの隣接する端部同士が前記雄ネジスリーブと雌ネジスリーブによる機械的な管継手により接続されている。そのため、従来の樹脂からなる多数のパイプを互いに接着する湿式の接続方式に比べ、工数が少なく且つ短時間で施工することができると共に、季節や開催期間の終了後において、少ない工数で且つ短時間に解体することが可能となる。
しかも、高い熱伝導率のアルミニウム合金からなる複数の単位床材を連設して用いるため、従来の前記樹脂からなるパイプやシートに比べて、各単位床材の上に水を一定のレベルまで順次または一度に給水して短時間で氷結できると共に、押出方向と直交する方向で隣接する単位床材同士の端部は、予め成形された所要の断面形状によって、カシメや嵌合方式により強固に接続することもできる。
更に、押出方向に沿って隣接する単位床材のパイプ部の端部同士には、該端部を円錐形状に拡径したフレア部が対称に形成され、該フレア部の内側面に断面がほぼ三角形状の金属シールリングを密に挿入した状態で、上記端部の外側を前記雄ネジスリーブと雌ネジスリーブとにより機械的に接続される。そのため、比較的少ない部品数と小さなスリーブとによって、高い密閉性を持ってパイプ部同士を接続できるので、パイプ部ごとの内部を流れる冷媒の漏洩を確実に防止できると共に、前記除去部を比較的小さい面積にすることもできる。
加えて、一方のパイプ部のフレア部に接触して配置された雄ネジスリーブに対し、他方のパイプ部のフレア部との間に該フレア部の外斜面に接触するリングスペーサを挟んで位置する雌ネジスリーブを回転させても、係る回転に伴って他方のパイプ部を含む前記単位床材（押出形材）自体が不用意に従動して回転し難くなる。従って、隣接する一対のフレア部を挟んだ雄ネジスリーブと雌ネジスリーブとをネジ結合させる回転操作を容易して且つ確実に行うこともできる。
【０００８】
尚、前記アイスリンク用床構造体は、水を散水して氷結する前の構造体である。
前記アイスリンクは、カーリング(ｃｕｒｌｉｎｇ)、スケート(フィギアスケートやスピードスケートなど)、アイスホッケー、あるいはアイスショーなどの氷上で行われる各種のスポーツや競技やイベントに活用される氷結した床部分である。
また、前記単位床材は、水平板の下側にパイプ部を少なくとも１個を有しており、２個以上のパイプ部を同様にして併設しても良い。該パイプ部は、アルミニウム合金の押出形材やパイプであれば、水平板と別体のパイプ材からなり、水平板の下面側に物理的に接続する形態としても良い。
更に、前記複数の単位床材は、押出方向と直交する方向に沿った断面において隣接する両端部において、一方の単位床材の端部を他方の単位床材の端部が挟んでカシメる接続部、隣接する一対の端部同士を上下方向に沿って挿入する接続部、あるいは、複数の嵌合材を介して接続する接続部が予め形成されている。
【０００９】
また、前記床構造体を構成する複数の単位床材のうち、押出方向と直交する方向の両端部に位置する単位床材は、最外側に接続部を有しないが、競技エリアの最外部を示す表示板を上方に取り付け可能としたり、突条を一体に設けても良い。
更に、前記除去部は、平面視でほぼ矩形（長方形または正方形）状を呈するほか、前記各スリーブのネジ込み作業が可能な面積を有する任意の形状としても良く、例えば、切り欠き加工や打ち抜き加工などによって形成される。
また、前記床構造体を構成する複数の単位床材のうち、押出方向の両端に位置する各単位床材の一方の端面には、隣接するパイプ部の端部同士の間を接続する平面視がＵ字形の冷媒管が溶接や前記一対のスリーブを用いる機械的な管継手により接続され、各単位床材の他方の端面には、冷媒供給用ヘッダー管または冷媒戻し用ヘッダー管が上記同様の溶接や機械的な管継手により接続される。
加えて、前記雄ネジスリーブおよび雌ネジスリーブは、管継手を構成するが、係る管継手の上部側が、前記床構造体を構成する各単位床材の水平板よりも上方に位置する形態では、競技者やスケーターなどの心理的な不安を抑制するため、当該床構造体の上方に氷層を介して多孔性のメッシュシートを平行状に張設し、更に該シート上にも別の氷層を氷結させることが望ましい。
【００１０】
尚、前記金属シールリングの硬度は、雄ネジおよび雌ネジスリーブの硬度と同じ程度か、あるいは各スリーブの材料よりも軟質の材料（好ましくは、電蝕が生じない軟質のアルミニウム合金）が推奨される。
【００１１】
尚また、前記リングスペーサーは、前記パイプ部を含む単位床材や前記雄ネジおよび雌ネジスリーブと同等か、これらよりも比較的軟質の金属材料からなる。
【００１２】
更に、本発明には、前記一方のパイプ部の前記フレア部の外斜面には、前記リングスペーサーの内斜面に食い込み可能な凸部が形成されている、アイスリンク用床構造体（請求項２）も含まれる。
これによれば、前記他方のパイプ部のフレア部の外斜面に設けた凸部がリングスペーサーの内斜面に食い込むので、該リングスペーサーと別体で且つ該スペーサーに隣接している雌ネジスリーブのみを単独で回転できる。その結果、雌ネジスリーブの回転に伴って、該雌ネジスリーブと上記リングスペーサーとが滑り易くなるので、他方のパイプを含む単位床材の不用意な回転を防ぐと共に、該雌ネジスリーブを前記一方のパイプ部のフレア部に面接触させた雄ネジスリーブに対し、確実にネジ結合させことができる。
尚、前記凸部には、例えば、前記外斜面の放射（径）方向に沿った複数の凸条、該外斜面の円周方向に沿った円環状を呈する複数の凸条、あるいは、上記外斜面にほぼ等間隔あるいは散点状に突設した複数の突起などが含まれる。
【００１３】
更に、本発明には、前記金属シールリングの外周側における左右一対の斜面の間には、前記一対のパイプ部の軸方向と平行な平坦面が形成されている、アイスリンク用床構造体（請求項３）も含まれる。
これによれば、前記一対のパイプ部の端部をそれぞれフレア加工した際に、各パイプの軸方向の長さが短くなるが、各パイプ部を含む一対の押出形材の隣接する端面同士が接触させても、金属シールリングの外周側には、上記短くなった軸方向の長さに相当する平坦面が形成されているので、該平坦面に隣接する一対の斜面にフレア部の内側面を確実に密着させることが可能となる。
【００１５】
更に、本発明には、前記単位床材は、水平板の下方に吊り部を介してパイプ部を設けており、且つ前記除去部には、前記一部の水平板に隣接する上記吊り部が含まれていると共に、前記雌ネジスリーブにおける上端部は、前記押出方向に沿って隣接する一対の単位床材の水平板ごとの表面と面一になるか、あるいは、該水平板の表面よりも低い位置にある、アイスリンク用床構造体（請求項４）も含まれる。
これによれば、前記雄ネジスリーブおよび雌ネジスリーブのうち、外周側に位置する雌ネジスリーブの上端部が、隣接する単位床材ごとの水平板と面一となるか、該水平板よりも低い位置にされるので、除去部の上方には、突出するものがなくなる。そのため、氷上で競技や演技するプレーヤーに対し、心理的な不安感を与えにくくなるので、好記録やハイレベルの演技を保証することが可能となる。
【００１６】
加えて、本発明には、前記押出方向に沿って隣接する一対の単位床材における水平板の端部間に形成された一対の除去部は、蓋により閉塞されるか、あるいはテープにより上方から被覆される、アイスリンク用床構造体（請求項５）も含まれる。
これによれば、前記除去部の上方に突出物がなくなるだけでなく、除去部自体が蓋やテープで目隠しされるため、氷上で競技や演技するプレーヤーに対し、心理的な不安感を一層与えにくくすることができる。
尚、前記蓋は、単位床材と同種のアルミニウム合金の平板あるいは平板をプレス加工したものとし、前記テープは、単位床材と同種の色彩であるアルミニウム箔を含む金属テープが耐久性の点でも望ましい。
【図面の簡単な説明】
【００１７】
【図１】本発明による一形態のアイスリンク用床構造体を示す平面図。
【図２】図１中のＸ−Ｘ線の矢視に沿った部分垂直断面図。
【図３】異なる形態の単位床材などを示す図２と同様な部分垂直断面図。
【図４】図１中で示した除去部を示す斜視図。
【図５】図１および図４中のＹ−Ｙ線の矢視に沿った管継手の拡大垂直断面図。
【図６】上記管継手の応用形態となる管継手を構成する各要素を示す分解図。
【図７】上記応用形態の管継手を示す図５と同様な拡大垂直断面図。
【図８】応用形態の単位床材を示す図２と同様な部分垂直断面図。
【図９】異なる応用形態の単位床材などを示す図３と同様な部分垂直断面図。
【図１０】更に異なる応用形態の単位床材などを示す部分垂直断面図。
【図１１】上記単位形材間の除去部を示す斜視図。
【図１２】図１１中のＹ−Ｙ線の矢視に沿った拡大垂直断面図。
【図１３】上記管継手の応用形態となる管継手を図１２と同様の垂直断面図。
【図１４】参考形態における管継手を示す拡大垂直断面図。
【図１５】異なる参考形態における管継手を示す拡大垂直断面図。
【図１６】前記単位床材の変形形態を示す図２と同様な部分垂直断面図。
【発明を実施するための形態】
【００１８】
以下において、本発明を実施するための形態について説明する。
図１は、本発明による一形態のアイスリンク用床構造体１を示す平面図、図２は、図１中のＸ−Ｘ線の矢視に沿った部分垂直断面図である。
アイスリンク用床構造体１は、例えば、カーリング競技に用いられ、図１に示すように、アルミニウム合金の押出形材からなる複数の単位床材２を、押出方向（図１で上下方向）および該押出方向と直交する方向（図１で左右方向）の２方向に沿ってそれぞれ連続して配設（以下、連設と称する）したものである。
上記単位床材２は、例えば、ＪＩＳ  Ａ６０６３−Ｔ５などのアルミニウム合金からなり、図２中の左側に示すように、押出方向と直交する方向の断面において、平坦な水平板６と、該水平板６の中央付近の下方に設けたパイプ部７と、上記水平板６の一端（右端）側に断面ほぼＬ字形の段部９を介して設けた縦片１０と、上記水平板６の他端（左端）側に設けられ、上記縦片１０を受け入れる縦溝１１を内側に有する断面ほぼＣ字形の挟持片１２とを、図示の奥行き方向の全長（約５〜６メートル）に沿って一体に有している。上記パイプ部７は、追って冷媒が流動する中空部８を軸方向の全長に沿って内蔵しており、該パイプ部７の上端部は、水平板６の表面（上面）とほぼ同じレベルに位置している。
【００１９】
また、図１，図２に示すように、前記床構造体１における押出方向と直交する方向の両端のうち、右端側には、前記同様の水平板６、パイプ部７、および水平板６の他端側に位置する内側に縦溝１１を有する断面ほぼＣ字形の挟持部１２を有すると共に、上記水平板６の一端側に垂直な端片１３を有する前記と同じ押出形材からなる単位床材２ａが配置されている。上記端片１３は、床構造体１の最外端となる。尚、図２で左端側には、断面の中央部が前記と共通であり、一端側に段部９と縦片１０を有し、且つ他端側で最外端となる位置に端片１３を有する端部用の単位床材（図示せず）が接続される。
更に、押出方向と直交する方向で隣接する単位床材２，２や単位床材２，２ａは、一端側の縦片１０を他端側の縦溝１１内に挿入した後、図２中の破線で示すように、予め斜め外向きに傾斜して押出成形された挟持片１２の先端部を垂直姿勢になるように押圧変形させ、縦溝１１内に差し込んだ上記縦片１０を挟持部１２でカシメることにより連設されている。即ち、図１で押出方向と直交する方向に沿った複数の単位床材２，２ａは、一体物（ユニット体）とされている。
【００２０】
図１に示すように、前記床構造体１における押出方向（図１で上下方向）に沿った上・下端に位置する単位床材２，２ａにおける水平板６ごとの端面６ｈ間には、パイプ部７の両側を矩形に切り欠いた除去部ｋ１がそれぞれ形成されている。
そして、図１で下端側における１つ置きの単位床材２，２ａのパイプ部７は、それぞれ接続管３９を介して冷媒供給用ヘッダー管３７に接続され、上記単位床材２，２ａに挟まれた別途に１つ置きの別の単位床材２，２ａのパイプ部７は、それぞれ接続管４０を介して冷媒戻し用ヘッダー管３８に接続されている。一方、図１で上端側において隣接する単位床材２，２ａのパイプ部７，７の端部は、それぞれ平面視がＵ字形のＵ形管４１を介して接続されている。
尚、上記ヘッダー管３７，３８、接続管３９，４０、およびＵ形管４１は、単位床材２，２ａと同種のアルミニウム合金からなるので、各単位床材２，２ａのパイプ部７との接続や相互間の接続は、ＴＩＧ溶接あるいはＭＩＧ溶接によって行われる。換言すると、前記床構造体１で押出方向の両端に位置し且つ互いに一体に接続された複数の単位床材２，２ａからなる一体のユニット体には、上記ヘッダー管３７，３８と接続管３９，４０、あるいはＵ形管４１が溶着されている。
【００２１】
前記アイスリンク用床構造体１は、前記単位床材２，２ａに替えて、図３に示すように、前記同様のアルミニウム合金からなる単位床材３，３ａにより構成しても良い。係る単位床材３は、押出方向と直交する断面において、前記同様の水平板６とパイプ部７とを有すると共に、該水平板６の両端に断面ほぼチャンネル形状で且つ内側に横向きの溝を有するコ形部１４を左右対称に有している。
図３に示すように、押出方向と直交する方向に沿って隣接する単位床材３，３（３ａ）は、それぞれのコ形部１４を対称に接近させ、係る一対のコ形部１４，１４の下方を断面が扁平な凹部片１５で覆うと共に、該凹部片１５の両端に横向きで且つ対称に突設した凸条１６を上記コ形部１４ごとの横向きの溝に挿入して、上記方向に沿って単位床材３，３ａが離間しないように拘束する。更に、図３に示すように、隣接するコ形部１４，１４間に、上方から断面ほぼ門形で且つ弾性変性可能な接続片１７を挿入し、該接続片１７における左右の縦片の先端に横向きで且つ対称に突設した一対の爪片１８を、個別に上記コ形部１４の下面に掛け止めさせる。上記凹部片１５と接続片１７とからなる一対の嵌合材により、押出方向と直交する方向に沿って複数の単位床材３，３ａを連設することができる。
尚、単位床材３は、前記同様の端片１３を他端に有する最外端用である。
【００２２】
更に、図１，図４，図５に示すように、前記床構造体１において、押出方向に沿って隣接する単位床材２，２ａ（３，３ａ）の水平板６，６の端面６ｈ，６ｈには、それぞれ平面視が矩形の除去部ｋ１が対称に形成されている。該除去部ｋ１ごとの中央には、隣接する単位床材２，２ａ（３，３ａ）ごとのパイプ部７の端部７ｈが接近ないし接触している。
図１および図４中のＹ−Ｙ線の矢視に沿った部分垂直拡大断面図の図５で示すように、押出方向に沿って隣接する単位床材２，２、または単位床材２ａ，２ａの各パイプ部７の端部７ｈには、互いに円錐形状に拡径するフレア部２０が対称に形成され、隣接する該フレア部２０，２０間の内斜面２１には、断面ほぼ三角形の金属シールリング（金属パッキン）２２が嵌合されている。該リング２２の硬度は、単位床材２などのアルミニウム合金と同じ硬度か、やや軟質である。
【００２３】
図５に示すように、フレア部２０，２０間の内側に金属シールリング２２が嵌合された一方（右側）のパイプ部７の外側には、先端の内側にフレア部２０の外斜面２１ａに面接触する傾斜面２３ｔを有し、且つ外周面に雄ネジ２４を有する雄ネジスリーブ２３が予め装着されている。一方、他方（図５で左側）のパイプ部７の外側には、内側の中央部にフレア部２０の外斜面２１ａに面接触する傾斜面２５ｔを有し、且つ先端側の内側に上記雄ネジ２４とネジ結合（螺合）する雌ネジ２６を有する雌ネジスリーブ２５が予め装着されている。
そして、図５に示すように、一対のフレア部２０の内斜面２１，２１間に金属シールリング２２を嵌合した状態で、雄ネジスリーブ２３の雄ネジ２４と雌ネジスリーブ２５の雌ネジ２６とをネジ結合して締結する。その結果、隣接するパイプ部７，７のフレア部２０の端部７ｈを密接させ、且つフレア部２０同士の内斜面２１，２１間に金属シールリング２２を密に嵌合させた管継手Ｊ１を構成することができる。
【００２４】
図１に示すように、押出方向に沿って隣接する単位床材２，２、あるいは単位床材２ａ，２ａごとのパイプ部７は、前記管継手Ｊ１を介して機械的に接続されている。その結果、図示しない冷却手段で冷却された冷媒は、冷媒供給用ヘッダー管３７から複数の接続管３９に分流し、押出方向に沿って隣接する単位床材２，２、あるいは単位床材２ａ，２ａごとのパイプ部７，７の前記中空部８を管継手Ｊ１を介して流動し、複数のＵ字形の冷媒管４１を個別に通過し、隣接する単位床材２，２、あるいは単位床材２ａ，２ａごとのパイプ部７，７を管継手Ｊ１を介して流動した後、各接続管４０を経て冷媒戻し用ヘッダー管３８へ合流し、更に前記冷却手段へと還流される。
上記のように、冷媒を押出方向と該押出方向に直交する方向とに沿った単位床材２，２、あるいは単位床材２ａ，２ａごとのパイプ部７，７の前記中空部８を循環させて流通させることで、図５に示すように、本床構造体１を敷設した図示ないコンクリートなどのフロア上に、各単位床材２，２ａごとの水平板６の上方のレベルまで給水した水を、順次凍結して氷結させたアイスリンクＩが得られる。
【００２５】
図５に示すように、前記管継手Ｊ１を構成する雄ネジスリーブ２３と雌ネジスリーブ２５の上部は、周囲の単位床材２，２の各水平板６より上方に位置しているため、例えば、アイスリンクＩ上でカーリング競技する選手にとって、滑走時に心理的に不安定な感覚を誘発するおそれを与え得る。そこで、図示のように、前記床構造体１を構成する各単位床材２，２ａ（３，３ａ）ごとの水平板６の上方に一定レベルまで水を氷結させて下層の氷層ｉ１とし、その表面にメッシュシートＭを水平に張設した後、その上方に更に一定レベルで供給した水を氷結させて上層の氷層ｉ２とすることで、前記スリーブ２３，２５および除去部ｋ１を目隠しする。その結果、上記不安感を解消ないし抑制することが可能となる。
尚、上記メッシュシートＭは、例えば、ポリエステルのメッシュ基材にポリ塩化ビニルを被覆した複合材からなり、メッシュの番手は約♯１０００〜♯２０００程度であり、上下の氷層ｉ１，ｉ２間で挟むようにしても良い。
【００２６】
ところで、前記管継手Ｊ１では、雌ネジスリーブ２５を回転させた際に、該スリーブ２５の傾斜面２５ｔと面接触するフレア部２０を有するパイプ部７を含む各単位床材２，２ａ（３，３ａ）が同期して同じ方向の回転を行うことにより、隣接する雄ネジスリーブ２３とのネジ結合が困難になる場合がある。
図６は、前記管継手Ｊ１の応用形態の管継手Ｊ１ａを構成する各要素を示す分解垂直断面図、図７は、該管継手Ｊ１ａを示す図５と同様な垂直断面図であり、且つ前述した問題点を解決した形態である。
係る管継手Ｊ１ａは、図６に示すように、管端部７ｈにフレア部２０を対称に設けた左右一対のパイプ部７において、右側のパイプ部７には、前記同様の雄ネジスリーブ２３が予め挿通されている。一方、図６で左側のパイプ部７には、雌ネジ２６の奥に環状の凹溝２５ｂを介して円柱形状の凹部２５ａを設けた雌ネジスリーブ２５が予め挿通され、且つ該凹部２５ａと上記フレア部２０との間には、金属製のリングスペーサー３７が挿通されている。該リングスペーサー３７は、隣接するフレア部２０側に、該フレア部２０の外斜面２１ａと面接触可能な円錐形状の内斜面３８を有している。また、上記フレア部２０の外斜面２１ａには、放射（径）方向に沿った複数の凸条（凸部）２１ｒを突設することが望ましい。
【００２７】
尚、前記リングスペーサー３７は、前記単位床材２や前記雄ネジおよび雌ネジスリーブ２３，２５と同等の硬度を有するか、これらよりも比較的軟質のアルミニウム合金からなる。
更に、図６に示すように、一対のフレア部２０間に挟持される金属シールリング２２ａは、前記同様の三角形状の断面のうち、外周側に対称に位置する一対の傾斜面の間に、前記パイプ７の軸方向と平行な環状の平坦面２２ｂを有している。該平坦面２２ｂの軸方向に沿った長さは、隣接する単位床材２の各パイプ７の端部ごとに前記フレア部２０を形成した際、該一対のパイプ部７が短くなった長さに相当する。これによって、一対の単位床材２を押出方向に沿って隣接させた際に、互いに隣接する一対の端面６ｈの何れか一方を、上記短くなった長さと同じ幅で切除する作業を省略することができる。
【００２８】
そして、図６，図７に示すように、右側のパイプ部７のフレア部２０の外斜面２１ａに雄ネジスリーブ２３の傾斜面２３ｔを面接触させ、且つ上記フレア部２０の内斜面２１に金属シールリング２２ａにおける右側の傾斜面２２ｃを面接触させる。
引き続いて、図６，図７に示すように、左側のパイプ部７に嵌挿した雌ネジスリーブ２５を回転させつつ、その雌ネジ２６の先端側を、右側の雄ネジスリーブ２３の雄ネジ２４の先端側にネジ結合させる。この際、リングスペーサー３７は、雌ネジスリーブ２５とは別体であるため、雌ネジスリーブ２５を回転しても、そのトルクはリングスペーサー３７およびフレア部２０には伝わりにくく、且つ他方のパイプ部７を含む単位床材２の不用意な回転を防ぐ。その結果、雌ネジスリーブ２５と雄ネジスリーブ２３との締結が容易となる。
【００２９】
この場合、更にフレア部２０の外斜面２１ａに凸条（凸部）２１ｒを設けておくと、リングスペーサー３７は、回転する雌ネジスリーブ２５に右側に押されて移動し、該スペーサー３７の内斜面３８が、左側のパイプ部７のフレア部２０における外斜面２１ａに面接触した後、該外斜面２１ａに位置する複数の凸条２１ｒが上記スペーサー３７の内斜面３８に食い込む。これにより、上記スペーサー３７と雌ネジスリーブ２５の凹部２５ａとが滑り易くなると共に、該スペーサー３７とフレア部２０を含む左側のパイプ部７とは、回転不能で且つ緊密な結合状態となる。そのため、これ以降では、雌ネジスリーブ２５を回転させても、左側のパイプ部７やこれを含む単位床材２は、該雌ネジスリーブ２５の回転に伴って、不用意に同期して回転する事態がなくなる。
その結果、雌ネジスリーブ２５を回転させて雄ネジスリーブ２３とネジ結合することにより、図７に示すように、左右一対のパイプ部７，７のフレア部２０，２０間に、金属シールリング２２ａが蜜に挟持された管継手Ｊ１ａが得られる。
【００３０】
前記のような単位床材２，２ａ（３，３ａ）および管継手Ｊ１，Ｊ１ａを併用したアイスリンク用床構造体１によれば、複数の単位床材２，２ａ（３，３ａ）を、押出方向および該押出方向と直交する２方向に沿ってそれぞれ連設すると共に、押出方向に沿って隣接する一対の単位床材２，２ａ（３，３ａ）の端部に隣接して形成された除去部ｋ１内では、各床材のパイプ部７ごとの隣接する端部７ｈ同士が前記雄ネジスリーブ２３と雌ネジスリーブ２５とによる機械的な管継手Ｊ１，Ｊ１ａにより接続されている。
そのため、従来の樹脂からなる多数のパイプを互いに接着する湿式の接続構造に比べ、少ない工数および短時間で施工できると共に、季節や開催期間の終了後には、少ない工数で且つ短時間で前記ユニット体ごとに解体することもできる。
しかも、高い熱伝導率のアルミニウム合金からなる複数の単位床材２，２ａなどを連設して用いるため、従来の前記樹脂からなるパイプやシートに比べて、各単位床材２，２ａの上に水を一定の水位ごとに順次給水し且つ氷結することにより、短時間でできる。更に、押出方向と直交する方向で隣接する単位床材２，２ａの端部は、予め成形された所要の断面形状によるカシメや嵌合方式により強固に接続することができる。
更に、前記管継手Ｊ１ａを用いることで、複数の単位床材２，２ａのパイプ部７，７を押出方向に沿って容易、迅速、且つ確実に接続することが可能になる。
【００３１】
図８は、前記図２で示した単位床材２，２ａの応用形態である単位床材４，４ａを示す断面図である。単位床材４，４ａは、前記同様のアルミニウム合金の押出形材からなり、図８に示すように、前記同様の水平板６、中空部８を内蔵するパイプ部７、一端側の段部９および縦片１０、および他端側の縦溝１１を内側に有する挟持片１２を有し、更に、水平板６の中央部とパイプ部７との間には、一定の高さを有する吊り部１９が一体に介在している。尚、最端部用の単位床材４ａなどの一端または他端には、前記同様の端片１３が設けられている。
図９は、前記図３で示した単位床材３，３ａの応用形態である単位床材５，５ａを示す断面図である。単位床材５，５ａも、前記同様のアルミニウム合金の押出形材からなり、図９に示すように、前記同様の水平板６、中空部８を内蔵するパイプ部７、および両端部に対称に設けた一対のコ形部１４を有し、更に水平板６の中央部とパイプ部７との間には、一定の高さを有する吊り部１９が一体に介在している。尚、端部用の単位床材５ａの一端には、前記同様の端片１３が設けられている。
【００３２】
図１０（ａ）は、前記単位床材４ａ，５ａの応用形態である単位床材５ｂを示す断面図であり、該単位床材５ｂも前記同様のアルミニウム合金の押出形材からなり、図示のように、一端の端片１３の上方に、垂直片４０とその上端から水平に延びた水平片４１とが形成されている。一方、係る水平片４１の上側には、前記メッシュシートＭの端縁を挟んで、前記同様の押出形材からなり、断面全体がほぼＴ字形状を呈する抑え材４４の水平片４６が載置され、且つ上記垂直片４０の外側には、上記抑え片４４の垂直片４５が添接し且つネジ止めされている。
更に、図１０（ｂ）は、前記単位床材４ａ，５ａの異なる応用形態である単位床材５ｃを示す断面図であり、該単位床材５ｃも前記同様の押出形材からなり、図示のように、一端の端片１３の上方に、垂直片４０とその中間から水平板６上に延びた水平片４２とが形成されている。係る水平片４２の上側には、前記メッシュシートＭの端縁を挟んで、前記同様の押出形材からなり、断面全体がほぼＬ字形状を呈する抑え材４７の水平片４９が載置され、且つ垂直片４０の上部の内側には、抑え片４７の垂直片４８が添接し且つネジ止めなどにて固定されている。
以上のような単位床材５ｂ，５ｃおよび抑え材４４，４７を用いることで、前記メッシュシートＭを単位床材５群の上方における一定のレベルに容易に張設することが可能となる。
【００３３】
前記同様に、複数の単位床材４，４ａ（５，５ａ〜５ｃ）を押出方向と直交する方向に沿って、前記カシメあるいは凹部片１５および接続片１７を併用する嵌合により複数の単位床材４，４ａ（５，５ａ〜５ｃ）を接続して複数のユニット体を形成する。該ユニット体の各単位床材４，４ａ（５，５ａ〜５ｃ）および押出方向に沿って隣接する別のユニット体の各単位床材４，４ａ（５，５ａ〜５ｃ）の水平板６，６の端面６ｈ，６ｈ間には、図１１，図１２に示すように、平面視が矩形の除去部ｋ２が形成される。該除去部ｋ２は、単位床材４などの水平板６の端面６ｈ付近と、その下側に連なる吊り片１９を切除して形成されたものであり、且つ各パイプ部７の端部７ｈ付近は除去されずに残留している。
図１１中のＹ−Ｙ線の矢視に沿った拡大断面図である図１２に示すように、押出方向に沿って隣接する単位床材４，４ａ（５，５ａ〜５ｃ）のパイプ部７の端部７ｈ付近には、前記同様の金属シールリング２２を内斜面２１ごとに密着した一対のフレア部２０が対称に接触しており、これらの外側には、前記同様の雄ネジスリーブ２３と雌ネジスリーブ２５とが互いにネジ結合して締結することで、前記同様の管継手Ｊ１が構成されている。
【００３４】
更に、前記各パイプ部７は、吊り部１９を介して水平板６の下方に設けられているため、図１２に示すように、管継手Ｊ１を構成し且つ最外側に位置する雌ネジスリーブ２５の上端部は、隣接する一対の水平板６，６の表面よりも高さｔ分だけ低い位置にある。即ち、押出方向に沿って隣接する単位床材４，４ａ（５，５ａ〜５ｃ）の水平板６の端面６ｈ，６ｈに跨る除去部ｋ２の上方には、何らの突起部も位置していない。その結果、例えば、カーリングの選手が本床構造体１の上に氷結した氷層（Ｉ）の上を滑走した場合でも、前述した不安定な感覚を誘発し難くなる。
更に、図１２中の白抜きの矢印で示すように、平面視が除去部ｋ２とほぼ相似形で厚みが前記高さｔと同じであるアルミニウム合金の蓋２７を用意し、その四辺に沿って下側の段部２８と上側の断面が板状である端辺２９とを設けた蓋２７によって、除去部ｋ２を塞いでも良い。該蓋２７を用いることで、上記不安感を一層確実に解消ないし低減することも可能となる。尚、上記蓋２７は、四辺の端辺２９を周囲の水平板６に対しビスなどによって固定しても良い。
尚、上記蓋２７に替え、アルミニウム箔を含む金属テープや銀色系統を呈する樹脂テープにより、除去部ｋ２を上側から閉塞しても上記同様の効果が得られる。
【００３５】
図１３は、前記除去部ｋ２の内側に形成される応用形態の管継手Ｊ１ｂを示す前記図１２と同様な垂直断面図である。係る管継手Ｊ１ｂも、前記管継手Ｊ１ａと同じく、軸方向に沿って隣接する一対のパイプ部７の端部ごとに対称に形成した一対のフレア部２０、右側の雄ネジスリーブ２３、凹部２５ａおよび凹溝２５ｂを有する左側の雌ネジスリーブ２５、上記凹部２５ａ内に収容され且つ内斜面３８を有するリングスペーサー３７、および外周側に平坦面２２ｂを有する金属シールリング２２ａを備えている。
尚、図１３中で左側のパイプ部７におけるフレア部２０の外斜面２１ａには、前記同様の複数の凸条（凸部）２１ｒが突設されている。
【００３６】
図１３に示すように、雌ネジスリーブ２５を回転させつつ、その雌ネジ２６の先端側を、雄ネジスリーブ２３の雄ネジ２４の先端側にネジ結合させると、リングスペーサー３７も雌ネジスリーブ２５に右側に押されて移動する。そのため、該スペーサー３７の内斜面３８は、左側のパイプ部７のフレア部２０における外斜面２１ａに面接触するが、リングスペーサー３７は、雌ネジスリーブ２５と別体であるため、該雌ネジスリーブ２５を回転しても、そのトルクは、リングスペーサー３７とフレア部２０とに伝わりにくくなる。その結果、パイプ部７を含む左側の単位床材４（４ａ）の不用意な回転を防いで、雌ネジスリーブ２５と雄ネジスリーブ２３との締結が容易となる。
更に、外斜面２１ａに位置する複数の凸条２１ｒを更に設けておくことで、上記スペーサー３７の内斜面３８に食い込むので、上記スペーサー３７と上記スペーサー３７とが滑り易くなり、且つ該スペーサー３７とフレア部２０を含む左側のパイプ部７とは、回転不能で且つ緊密な結合状態となる。従って、これ以降では、雌ネジスリーブ２５を回転しても、左側のパイプ部７やこれを含む単位床材２は、上記スリーブ２５の回転に伴って不用意に同期して回転しにくくなる。
そして、雌ネジスリーブ２５を回転させて雄ネジスリーブ２３とネジ結合した後、更に除去部ｋ２を前記蓋２７により閉塞することによって、図１３に示すように、左右一対のパイプ部７，７のフレア部２０間に、金属シールリング２２ａが密着して挟持され、且つ上方から視認できない管継手Ｊ１ｂが得られる。
【００３７】
図１４は、吊り部１９を有しない前記単位床材２，２ａ（３，３ａ）の押出方向に沿った水平板６の端部６ｈに設けた除去部ｋ１内において、隣接する一対のパイプ部７，７の端部７ｈ同士を接続した参考形態における管継手Ｊ２を示す部分垂直断面図である。図１４に示すように、単位床材２，２ａごとのパイプ部７の端部７ｈは、垂直に切断された端面であり、係る端部７ｈの端面同士を接触ないし接近させた状態で、該端部７ｈ，７ｈの外側に跨って、円筒形状の接続管３０を配置し、該接続管３０の両端面に隣接して一対のリングパッキンＰを個別に配置する。
次いで、上記接続管３０の外周面３１の外側に、平行な内周面３３を有する雄ネジスリーブ３２を配置して、上記接続管３０の外周面３１の過半部分を覆う。尚、上記リングパッキンＰは、例えば、合成ゴムあるいは合成樹脂からなる。
【００３８】
更に、図１４に示すように、上記雄ネジスリーブ３２の外周面に設けた雄ネジ３４に対し、雌ネジスリーブ３５の内周面に設けた雌ネジ３６をネジ結合して、雄ネジ・雌ネジスリーブ３２，３５が軸方向に沿って接近するように締結する。その結果、上記接続管３０と一対のリングパッキンＰとにより上記隣接するパイプ部７ごとの端部７ｈを密封状態で接続すると共に、該雌ネジスリーブ３５により外部に露出する接続管３０の残部と上記雄ネジスリーブ３２の外周部とが覆われた管継手Ｊ２が形成される。
以上のような管継手Ｊ２に用いた雄ネジ・雌ネジスリーブ３２，３５の上部は、除去部ｋ１が形成された隣接する単位床材２，２ａ（３，３ａ）の水平板６の表面よりも上方に突出している。そのため、図１４に示すように、水平板６および上記スリーブ３２，３５の上方において、下層と上層の氷層ｉ１，ｉ２間に前記同様のメッシュシートＭを張設することで、カーリング競技の選手に与える不安感を解消ないし抑制できる。尚、上記氷層ｉ１，ｉ２からなるアイスリンクＩの厚みＷ１は、上記不安感を解消するには、約３０〜５０ｍｍが必要とされる。
【００３９】
図１５は、吊り部１９を含む前記単位床材４，４ａ（５，５ａ）の押出方向に沿った水平板６ごとの端部６ｈおよび吊り部１９に設けた除去部ｋ２内において、隣接する一対のパイプ部７，７の端部７ｈ同士を接続した異なる参考形態における管継手Ｊ２を示す部分垂直断面図である。
図１５に示すように、単位床材４，４ａごとのパイプ部７の端部７ｈ，７ｈの外周側に跨って、前記同様の接続管３０を配置し、その両端面に隣接してリングパッキンＰを個別に配置し、該接続管３０の外周面３１の外側に、これと平行な内周面３３を有する雄ネジスリーブ３２を配置して、接続管３０の外周面３１の過半部を覆う。更に、雄ネジスリーブ３２の外周面に設けた雄ネジ３４に対し、雌ネジスリーブ３５の内周面に設けた雌ネジ３６をネジ結合して、雄ネジ・雌ネジスリーブ３２，３５が接近するように締結する。その結果、上記接続管３０とリングパッキンＰとにより上記隣接するパイプ部ごとの端部７ｈを密封状態で接続すると共に、雌ネジスリーブ３５により外部に露出する接続管３０の残部と上記雄ネジスリーブ３２の外周部とを覆った管継手Ｊ２が形成される。
【００４０】
前記管継手Ｊ２に用いた雌ネジスリーブ３５の上端部は、図１５に示すように、除去部ｋ２が形成された隣接する単位床材４，４ａ（５，５ａ〜５ｃ）の水平板６の表面よりも高さｔ分だけ低い位置にある。そのため、厚みがｔである前記同様の蓋２７、あるいは前記金属テープによって除去部ｋ２を閉塞した後、水平板６の上方に前記厚みＷ１よりも薄い厚みＷ２のアイスリンクＩを形成することで、カーリング競技の選手に与える不安感を確実に解消ないし抑制することができる。
従って、予め、コンクリートなどの床版に固定された吊り部１９を含む前記単位床材４，４ａ（５，５ａ〜５ｃ）、これらの押出方向に沿って隣接する水平板６，６間に設ける除去部ｋ２、および前記管継手Ｊ２によっても、これらの上方にメッシュシートＭを張設する必要がなく、比較的薄く且つ競技者に対して不安感を与えにくいアイスリンクＩを容易に提供することが可能である。
尚、除去部ｋ２を蓋２７で閉塞し且つ水平板６，６にビス止めなどにて固定することにより、隣接する単位床材４，４ａ（５，５ａ〜５ｃ）の更なる強固な接続を得ることも可能となる。
【００４１】
本発明は、以上において説明した各形態に限定されるものではない。
例えば、図１６に示すように、前記単位床材２，２ａの変形形態として、前記同様の水平板６およびパイプ部７を有し、且つ一端側に縦片１０と、他端側に該縦片１０が差し込まれる傾斜部付きの縦溝１１′および挟持辺１２′を有する単位床材２′とし、更に縦片１３を有する端部用の単位床材２ａ′としても良い。
尚、上記端部用の単位床材２ａ′についても、その端片１３の上方に前記垂直片４０および水平片４１，４２を形成しても良い。
【００４２】
更に、本床構造体１は、前記単位床材２，２ａ，２′〜５，５ａ〜５ｃを押出方向に沿って連設し、且つ該単位床材２，２ａ，２′〜５，５ａ〜５ｃを押出方向と直交する方向に沿っては前記カシメまたは嵌合によって連設した複数組を用意し、係る複数の床構造体１を単位床材２などの押出方向と直交する方向に沿って併設することで、例えば、アイススケート、アイスショー、あるいはアイスホッケーなどの広いスペースを必要とするアイスリンクを形成することも可能である。
加えて、前記単位床材２，２ａ，２′〜５，５ａ〜５ｃの水平板６は、陽極酸化皮膜（アルマイト）による銀色に限らず、アイスリンク上で行われる競技などに対応して、水平板６の全面に対し、あるいは押出方向に沿った一部に対して縞形状などを呈するように各種の色彩を、電着塗装などによって表示しても良い。
【産業上の利用可能性】
【００４３】
本発明によれば、比較的少ない工数と短い施工時間とによって安定した氷結状態を維持できるアイスリンクを構成するためのアイスリンク用床構造体を提供することができる。
【符号の説明】
【００４４】
１……………………………………アイスリンク用床構造体
２，２ａ，２′〜５，５ａ〜５ｃ…単位床材
６……………………………………水平板
６ｈ…………………………………水平板の端面
７……………………………………パイプ部
７ｈ…………………………………パイプ部の端部
１９…………………………………吊り部
２０…………………………………フレア部
２１…………………………………フレア部の内斜面
２１ａ………………………………フレア部の外斜面
２１ｒ………………………………凸条（凸部）
２２，２２ａ………………………金属シールリング
２２ｂ………………………………金属シールリングの平坦面
２３，３２…………………………雄ネジスリーブ
２５，３５…………………………雌ネジスリーブ
３０…………………………………接続管
３７…………………………………リングスペーサー
３８…………………………………リングスペーサーの内斜面
Ｉ……………………………………アイスリンク
Ｐ……………………………………リングパッキン
ｋ１，ｋ２…………………………除去部
【図１】
0005984538.tif 000002
【図２】
0005984538.tif 000003
【図３】
0005984538.tif 000004
【図４】
0005984538.tif 000005
【図５】
0005984538.tif 000006
【図６】
0005984538.tif 000007
【図７】
0005984538.tif 000008
【図８】
0005984538.tif 000009
【図９】
0005984538.tif 000010
【図１０】
0005984538.tif 000011
【図１１】
0005984538.tif 000012
【図１２】
0005984538.tif 000013
【図１３】
0005984538.tif 000014
【図１４】
0005984538.tif 000015
【図１５】
0005984538.tif 000016
【図１６】
0005984538.tif 000017